(57)【要約】【課題】  画像形成装置には標準機能から操作性を単純化、機能の簡略化をした簡単機能が出てきている。例えば、送信機能から設定できる機能やプロトコルを落とした簡単送信機能など。しかしながら、標準機能と簡単機能から送信した場合でも履歴管理は１カ箇所で行われている。そのような場合に履歴から再送信を行う際に履歴情報にどちらの機能から登録された履歴であるかを登録できない場合に判断することができない。【解決手段】  簡易機能を表示するのではなく常に標準機能を表示することで設定が欠落することなく画面表示することができるようになる。【選択図】  図６
2020141348.tif 000002
【特許請求の範囲】
【請求項１】
原稿を読み取る読み取り手段（２２１）と、
前記読取手段で読み取った原稿を電子データに変換し送信する送信機能（４０２）と、
前記送信機能とは別で前記送信機能の一部の機能を提供する簡易送信機能（４０３）と、
送信した履歴を管理する履歴管理機能（表２）と、
履歴管理機能から再送信を行う履歴から再送信機能（６０３）と、
前記送信機能の簡易送信履歴から送信した履歴であっても履歴から再送信時には送信機能画面を表示することを特徴とする画像形成装置。
【発明の詳細な説明】
【技術分野】
【０００１】
本発明は、画像データを送信する画像処理装置、画像処理装置の制御方法、及びプログラムに関する。
【背景技術】
【０００２】
従来、画像形成装置がスキャナから読み取った原稿を画像データに変換し送信する送信機能が知られている。画像データを送信する方法としては、ファクス、Ｉファクス、電子メールの他に、ファイル送信が知られている。
【０００３】
ファイル送信とは、例えばＳＭＢ（Server Message Block）やＦＴＰ（File Transfer Protocol）などの送信プロトコルで画像データを送信することを意味する。
【０００４】
ところで、送信機能が送信した履歴情報から宛先情報を取得して再送信する機能がある。履歴画面から再送したい履歴を選択し再送指示を行うと設定が反映された画面を開き送信指示ができる（特許文献１）。
【先行技術文献】
【特許文献】
【０００５】
【特許文献１】特許第５９５０６０１号公報
【発明の概要】
【発明が解決しようとする課題】
【０００６】
画像形成装置には標準機能から操作性を単純化、機能の簡略化をした簡単機能が出てきている。例えば、送信機能から設定できる機能やプロトコルを落とした簡単送信機能など。
【０００７】
しかしながら、標準機能と簡単機能から送信した場合でも履歴管理は１カ箇所で行われている。そのような場合に履歴から再送信を行う際に履歴情報にどちらの機能から登録された履歴であるかを登録できない場合に判断することができない。
【課題を解決するための手段】
【０００８】
上記の課題を解決するために、本発明に係る画像形成装置は、
原稿を読み取る読み取り手段と、
前記読取手段で読み取った原稿を電子データに変換し送信する送信機能と、
前記送信機能とは別で前記送信機能の一部の機能を提供する簡易送信機能と、
送信した履歴を管理する履歴管理機能と、
履歴管理機能から再送信を行う履歴から再送信機能と、
前記送信機能の簡易送信履歴から送信した履歴であっても履歴から再送信時には送信機能画面を表示することを特徴とする。
【発明の効果】
【０００９】
本発明に係る画像形成装置によれば、簡易機能を表示するのではなく常に標準機能を表示することで設定が欠落することなく画面表示することができるようになる。
【図面の簡単な説明】
【００１０】
【図１】本発明の実施形態における画像処理システムの全体図である。
【図２】本発明の実施形態におけるＭＦＰ１０１の構成を示すブロック図である。
【図３】本発明の実施形態におけるファイルサーバ１０２の構成を示すブロック図である。
【図４】本発明の実施形態におけるＭＦＰ１０１の操作画面を示す図である。
【図５】本発明の実施形態におけるＭＦＰ１０１の操作画面を示す図である。
【図６】本発明の実施形態におけるＭＦＰ１０１の動作を示すフローチャートである。
【発明を実施するための形態】
【００１１】
以下、本発明を実施するための形態について、図面を参照しながら説明する。
【００１２】
なお、以下の実施の形態は特許の請求の範囲にかかわる発明を限定するものでなく、また実施の形態で説明されている特徴の組み合わせの全てが発明の解決手段に必須のものとは限らない。
【００１３】
＜第１の実施形態＞
まず、本発明の第１の実施形態について説明する。
【００１４】
図１は、画像処理システムの全体図である。
【００１５】
ＬＡＮ（Local Area Network）１００上には、ＭＦＰ（Multifunction Peripheral）１０１、ファイルサーバ１０２が互いに通信可能に接続されている。
【００１６】
ＭＦＰ１０１は画像処理装置の一例である。ファイルサーバ１０２は、ファイル管理装置の一例である。
【００１７】
ＭＦＰ１０１は、ファイルサーバ１０２内のフォルダを宛先としてＳＭＢやＦＴＰを用いて画像データのファイル送信を行うことができるが、フィアルサーバ１０２以外にも、図示しないクライアントＰＣ内のフォルダを宛先とすることもできる。
【００１８】
また、ＭＦＰ１０１は、図示しないメールサーバを介して画像データを電子メールで送信することができる。
【００１９】
なお、画像処理システムは、ＭＦＰ１０１、ファイルサーバ１０２を含むものとするが、ＭＦＰ１０１が複数、又はＭＦＰ１０１のみを画像処理システムと称することもできる。
【００２０】
図２は、ＭＦＰ１０１の構成を示すブロック図である。
【００２１】
ＣＰＵ２１１を含む制御部２１０は、ＭＦＰ１０１全体の動作を制御する。ＣＰＵ２１１は、ＲＯＭ２１２に記憶された制御プログラムを読み出して読取制御や送信制御などの各種制御を行う。
【００２２】
ＲＡＭ２１３は、ＣＰＵ２１１の主メモリ、ワークエリア等の一時記憶領域として用いられる。
【００２３】
なお、ＭＦＰ１０１の場合は、１つのＣＰＵ２１１が１つのメモリ（ＲＡＭ２１３またはＨＤＤ２１４）を用いて後述する図５フローチャートに示す各種処理を実行するものとするが、他の態様であっても構わない。
【００２４】
例えば、複数のＣＰＵや複数のＲＡＭまたはＨＤＤを協働させて図５のフローチャートに示す各処理を実行するようにすることもできる。
【００２５】
ＨＤＤ２１４は、画像データや各種プログラムを記憶する。操作部Ｉ／Ｆ２１５は、操作部２１９と制御部２１０を接続する。
【００２６】
プリンタ２２０で印刷すべきデータはプリンタＩ／Ｆ２１６を介して制御部２１０から転送され、プリンタ２２０において記憶媒体上に印刷される。
【００２７】
スキャナＩ／Ｆ２１７は、スキャナ２２１と制御部２１０を接続する。スキャナ２２１は原稿上の画像を読み取って画像データ（画像ファイル）を生成し、スキャナＩ／Ｆ２１７を介して制御部２１０に入力する。
【００２８】
ＭＦＰ１０１は、スキャナ２２１で生成された画像データ（画像ファイル）をファイル送信またはメール送信することができる。
【００２９】
ネットワークＩ／Ｆ２１９は、制御部２１０をＬＡＮ１００に接続する。ネットワークＩ／Ｆ２１９は、ＬＡＮ１００上の外部装置（ファイルサーバ１０２など）に画像データや情報を送信したり、ＬＡＮ１００上の外部装置から各種情報を受信したりする。
【００３０】
図３は、ファイルサーバ１０２の構成を示すブロック図である。
【００３１】
ＣＰＵ３１１を含む制御部３１０は、ファイルサーバ１０２全体の動作を制御する。ＣＰＵ３１１は、ＲＯＭ３１２に記憶された制御プログラムを読み出して各種制御処理を実行する。
【００３２】
ＲＡＭ３１３は、ＣＰＵ３１１の主メモリ、ワークエリア等の一時記憶領域として用いられる。ＨＤＤ３１４は、画像データや各種プログラムを記憶する。
【００３３】
ネットワークＩ／Ｆ３１５は、ＬＡＮ１００上の他の装置との間で各種情報を送受信する。
【００３４】
図４は、操作部２２０に表示される操作画面の一例を示す図である。図４に示す操作画面は、ＭＦＰ１０１に搭載されている機能を起動するときに表示される。
【００３５】
操作キー４０１は、「コピー」機能を起動するための操作キーである。操作キー４０１が選択されると「コピー」機能が起動し操作部２２０に「コピー」機能の画面を表示する。
【００３６】
操作キー４０２は、「スキャンして送信」機能を起動するための操作キーである。操作キー４０２が選択されると「スキャンして送信」機能が起動し操作部２２０に「スキャンして送信」機能の画面を表示する。
【００３７】
操作キー４０３は、「かんたんスキャンして送信」機能を起動するための操作キーである。操作キー４０２が選択されると「かんたんスキャンして送信」機能が起動し操作部２２０に「かんたんスキャンして送信」機能の画面を表示する。
【００３８】
「かんたんスキャンして送信」は「スキャンして送信」を簡略化し機能の１部のみ利用可能となっているアプリである。
【００３９】
操作キー４０２は、「ボックス」機能を起動するための操作キーである。操作キー４０２が選択されるとボックス機能が起動し操作部２２０にボックス機能の画面を表示する。
【００４０】
図５は、図４で示した操作部２２０に表示した操作キー４０２、又は４０３が押下され、各機能から画像データを送信する動作を説明するフローチャートである。
【００４１】
図５のフローチャートに示す各動作（ステップ）は、ＭＦＰ１０１のＣＰＵ２１１がＨＤＤ２１４に記憶された制御プログラムを実行することによって実現される。
【００４２】
ステップＳ５０１では、ＣＰＵ２１１は操作キーが押下されるのを待つ。操作キーが押下されたらステップＳ５０２へ進む。
【００４３】
ステップＳ５０２では、ＣＰＵ２１１は押下された操作キーが操作キー４０２の「スキャンして送信」であるかを確認する。操作キー４０２であればステップＳ５０３へ進む。異なればステップＳ５０６へ進む。
【００４４】
ステップＳ５０３では、ＣＰＵ２１１は「スキャンして送信」画面を表示して宛先を含めた送信設定を受ける。送信設定を受けたらステップＳ５０４へ進む。
【００４５】
ステップＳ５０４では、ＣＰＵ２１１は送信スタート指示を受けるのを待つ。送信スタート指示を受けたらステップＳ５０５へ進む。
【００４６】
ステップＳ５０５では、送信結果をＨＤＤ２１４の履歴テーブル（表１）に登録する。登録が完了したらフローチャートを終了する
【００４７】
【表１】
2020141348.tif 000003
【００４８】
表１の履歴テーブルについて説明する。列１は、送信完了時間を表す。列２は、送信設定のプロトコルを表す。列３は、宛先を表す。列４は、送信結果を表す。ステップＳ５０５で登録した履歴は行２になる
ステップＳ５０６では、ＣＰＵ２１１は押下された操作キーが操作キー４０３の「かんたんスキャンして送信」であるか確認する。操作キー４０３であればステップＳ５０７へ進む。異なればフローチャートを終了する。
【００４９】
ステップＳ５０７では、ＣＰＵ２１１は「かんたんスキャンして送信」画面を表示して宛先を含めた送信設定を受ける。送信設定を受けたらステップＳ５０８へ進む。
【００５０】
ステップＳ５０８では、ＣＰＵ２１１は送信スタート指示を受けるのを待つ。送信スタート指示を受けたらステップＳ５０９へ進む。
【００５１】
ステップＳ５０９では、送信結果をＨＤＤ２１４の履歴テーブル（表１）に登録する（表２）。登録が完了したらフローチャートを終了する。
【００５２】
【表２】
2020141348.tif 000004
【００５３】
ステップＳ５０９で登録した履歴は行３になる。
【００５４】
図６は、操作部２２０に表示される操作画面の一例を示す図である。図６に示す操作画面は、ＭＦＰ１０１のＨＤＤ２１４に記憶している履歴テーブルの情報を確認する際に表示される。
【００５５】
情報６０１は履歴テーブル（表２）に登録されている行２の履歴テーブルの内容を示す情報である。情報６０２は履歴テーブル（表２）に登録されている行３の履歴テーブルの内容を示す情報である。
【００５６】
操作キー６０３は、選択した履歴に対して再送信を行うための操作キーである。情報６０１、または６０２を選択後、操作キー６０３を押下することで選択した履歴の宛先が入力された「スキャンして送信」画面が表示される。
【００５７】
操作キー６０４は、本画面を閉じるための操作キーである。
【００５８】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００５９】
この場合、記憶媒体から読み出されたプログラムコード自体が前述した実施の形態の機能を実現することになり、そのプログラムコード及び該プログラムコードを記憶した記憶媒体は本発明を構成することになる。
【符号の説明】
【００６０】
１００  ＬＡＮ、１０１  ＭＦＰ、１０２  ファイルサーバ
【図１】
2020141348.tif 000005
【図２】
2020141348.tif 000006
【図３】
2020141348.tif 000007
【図４】
2020141348.tif 000008
【図５】
2020141348.tif 000009
【図６】
2020141348.tif 000010